(57)【要約】【課題】ハロゲンランプ等の熱源の発熱を起因とする温度異常時にのみヒューズが溶断されるようにして、不必要なヒューズ溶断により、ヒューズ又は電源ユニットの取り替えのためにコスト上昇及び取換手間が発生することを回避する。【解決手段】プリンタ１は、ハロゲンランプ２６への商用電源８０の電力供給を切替える熱源制御スイッチ２３４と、ハロゲンランプ２６に直列に接続されたヒューズ２３２と、ハロゲンランプ２６に並列に接続された抵抗器２３１と、ハロゲンランプ２６に並列で抵抗器２３１には直列に接続された抵抗器用スイッチ２３５と、熱源制御スイッチ２３４及び抵抗器用スイッチ２３５の切替を制御するプリンタ制御部７とを備え、ヒューズ２３２の定格電流値を、ハロゲンランプ２６及び抵抗器２３１の定格電流値の各値以上の値であって、ハロゲンランプ２６及び抵抗器２３１の定格電流値の合計値よりも小さい値とする。【選択図】図２
2011203631.tif 000002
【特許請求の範囲】
【請求項１】
熱ローラ及び圧ローラを有する定着部と、
前記熱ローラを加熱する熱源部と、
電源と前記熱源部とを繋ぐ電源ライン上において前記熱源部に対して直列に接続され、前記熱源部に当該熱源部駆動用の電力を電源から供給するか否かを切り替える切替部と、
前記熱ローラの温度を検出する温度検出部と、
前記電源と前記熱源部とを繋ぐ電源ライン上において前記熱源部に対して直列に接続されたヒューズと、
前記電源ラインにより前記電源と接続される前記熱源部に対して並列に接続された抵抗器と、
前記電源ラインにより前記電源と接続される前記熱源部に対して並列に接続されると共に、前記抵抗器に対して直列に接続され、前記抵抗器に前記電源からの電力を供給するか否かを切り替える抵抗器用スイッチと、
前記温度検出部によって検出される前記熱ローラの温度に応じて、前記切替部及び前記抵抗器用スイッチによる前記切替動作を制御する制御部とを備え、
前記ヒューズの定格電流値が、前記熱源部の定格電流値及び前記抵抗器の定格電流値のそれぞれの値以上の値であって、前記熱源部の定格電流値及び前記抵抗器の定格電流値の合計値よりも小さい値とされた画像形成装置。
【請求項２】
前記制御部は、前記温度検出部によって検出される値が、予め設定されている異常温度を示す場合には、前記切替部に前記熱源部への前記電力供給を遮断させる切替動作を行わせると共に、前記抵抗器用スイッチには前記抵抗器に前記電力を供給させる切替動作を行わせる請求項１に記載の画像形成装置。
【請求項３】
前記制御部は、前記温度検出部によって検出される値が、予め定められた正常温度を示す場合には、前記切替部に前記熱源部への前記電力供給を行わせる切替動作を行わせると共に、前記抵抗器用スイッチには前記抵抗器への前記電力供給を遮断させる切替動作を行わせる請求項２に記載の画像形成装置。
【発明の詳細な説明】
【技術分野】
【０００１】
本発明は、画像形成装置に関し、特に、定着装置において熱ローラを加熱する熱源部に電力を供給する技術に関する。
【背景技術】
【０００２】
従来、画像形成装置では、定着装置での熱定着を行うための熱源として、例えばハロゲンランプが用いられている。このような画像形成装置では、装置に故障が発生した場合に熱源への電力供給を確実に遮断するための機能を搭載している。具体的には、定着装置内の温度を温度センサにより検知し、当該温度センサが温度異常の発生を検知した場合には、熱源であるハロゲンランプに対する電力供給のＯＮ／ＯＦＦ制御を行っているトライアックをＯＦＦにすることで、熱源への電力供給を遮断する。また、トライアックの故障やハロゲンランプからトライアックまでの配線の地絡を考慮し、下記特許文献１に示される画像形成装置では、ハロゲンランプに直列にヒューズを接続し、ハロゲンヒータと並列にＳＷ（トライアック）及び抵抗器を配置し、温度センサが温度異常を検知した際には当該ＳＷをＯＮとして、ハロゲンランプに対して直列に配置されたヒューズを過電流状態とし、当該ヒューズを溶断させることでハロゲンランプへの電源供給を遮断するようにしている。
【先行技術文献】
【特許文献】
【０００３】
【特許文献１】特開平０２−２２６８４号公報
【発明の概要】
【発明が解決しようとする課題】
【０００４】
しかしながら、上記特許文献１に示される画像形成装置で採用している熱源への電力供給遮断方式の場合、ハロゲンランプの発熱を起因とする温度異常時に、上記ヒューズの溶断により確実にハロゲンランプへの電源供給を遮断できるが、定着装置内の温度を検知する温度センサの故障により温度異常が検出されており、ハロゲンランプの発熱を起因とする温度異常ではない場合であっても、ハロゲンランプへの電源供給を遮断するために上記ヒューズが溶断される。このような不必要なヒューズ溶断によるヒューズ取り替えのためにコスト上昇及びヒューズ取換手間が生じるといった問題が生じていた。
【０００５】
本発明は、上記の問題を解決するためになされたもので、温度センサの故障による温度異常検出時には上記ヒューズが溶断されず、ハロゲンランプ等の熱源の発熱を起因とする温度異常時にのみ上記ヒューズが溶断されるようにして、不必要なヒューズ溶断によるヒューズ又は当該ヒューズが設けられている電源ユニットの取り替えのためにコスト上昇及び取換手間の発生を回避することを目的とする。
【課題を解決するための手段】
【０００６】
本発明の請求項１に記載の発明は、熱ローラ及び圧ローラを有する定着部と、
前記熱ローラを加熱する熱源部と、
電源と前記熱源部とを繋ぐ電源ライン上において前記熱源部に対して直列に接続され、前記熱源部に当該熱源部駆動用の電力を電源から供給するか否かを切り替える切替部と、
前記熱ローラの温度を検出する温度検出部と、
前記電源と前記熱源部とを繋ぐ電源ライン上において前記熱源部に対して直列に接続されたヒューズと、
前記電源ラインにより前記電源と接続される前記熱源部に対して並列に接続された抵抗器と、
前記電源ラインにより前記電源と接続される前記熱源部に対して並列に接続されると共に、前記抵抗器に対して直列に接続され、前記抵抗器に前記電源からの電力を供給するか否かを切り替える抵抗器用スイッチと、
前記温度検出部によって検出される前記熱ローラの温度に応じて、前記切替部及び前記抵抗器用スイッチによる前記切替動作を制御する制御部とを備え、
前記ヒューズの定格電流値が、前記熱源部の定格電流値及び前記抵抗器の定格電流値のそれぞれの値以上の値であって、前記熱源部の定格電流値及び前記抵抗器の定格電流値の合計値よりも小さい値とされた画像形成装置である。
【０００７】
この発明では、温度検出部により異常な温度が検出されて、制御部が、切替部に熱源部への電力供給を遮断させ、抵抗器用スイッチにより抵抗器に電力を供給させる制御を行った場合において、例えば当該切換部の故障等により熱源部に電流が流れて熱源部が発熱していると、ヒューズの定格電流値は熱源部の定格電流値及び抵抗器の定格電流値の合計値よりも小さい値なので当該ヒューズは溶断され、その一方、例えば当該切換部は正常に切換動作を行って熱源部には電流が流れず発熱していなければ、ヒューズの定格電流値は抵抗器の定格電流値以上の値とされているために、当該ヒューズは溶断しない。これにより、不必要なヒューズ溶断によるヒューズ又は当該ヒューズが設けられている電源ユニット取り替えのためのコスト上昇及び取換手間の発生を回避することができる。
【０００８】
また、請求項２に記載の発明は、請求項１に記載の画像形成装置であって、前記制御部は、前記温度検出部によって検出される値が、予め設定されている異常温度を示す場合には、前記切替部に前記熱源部への前記電力供給を遮断させる切替動作を行わせると共に、前記抵抗器用スイッチには前記抵抗器に前記電力を供給させる切替動作を行わせるものである。
【０００９】
また、請求項３に記載の発明は、請求項２に記載の画像形成装置であって、前記制御部は、前記温度検出部によって検出される値が、予め定められた正常温度を示す場合には、前記切替部に前記熱源部への前記電力供給を行わせる切替動作を行わせると共に、前記抵抗器用スイッチには前記抵抗器への前記電力供給を遮断させる切替動作を行わせるものである。
【００１０】
これらの発明では、制御部は、温度検出部によって検出される値が、予め設定されている異常温度を示す場合には、切替部に熱源部への電力供給を遮断させる切替動作を行わせると共に、抵抗器用スイッチには抵抗器に電力を供給させる切替動作を行わせるので、例えば当該切換部の故障等により熱源部に電流が流れて熱源部が発熱していると、ヒューズの定格電流値は熱源部の定格電流値及び抵抗器の定格電流値の合計値よりも小さい値であるために当該ヒューズは溶断され、その一方、例えば当該切換部は正常に切換動作を行って熱源部には電流が流れず発熱していなければ、ヒューズの定格電流値は抵抗器の定格電流値以上の値とされているために当該ヒューズは溶断しない。
【発明の効果】
【００１１】
本発明によれば、温度センサの故障による温度異常検出時には上記ヒューズが溶断されず、ハロゲンランプ等の熱源の発熱を起因とする温度異常時にのみ上記ヒューズが溶断されるようにして、不必要なヒューズ溶断によるヒューズ又は当該ヒューズが設けられている電源ユニット取り替えのためにコスト上昇及び取換手間の発生を回避することができる。
【図面の簡単な説明】
【００１２】
【図１】本発明に係る画像形成装置の一種であるプリンタの内部構造の一実施形態を説明するための正面断面視の説明図である。
【図２】本発明の実施の形態に係る定着装置の制御システムを示すブロック構成図である。
【図３】定着装置が異常温度である場合におけるハロゲンランプの電源供給遮断制御を示すフローチャートである。
【発明を実施するための形態】
【００１３】
以下、本発明に係る画像形成装置の実施の形態について図面を参照し説明する。なお、本発明に係る画像形成装置は、以下に示す該実施の形態に限定されるものではない。
【００１４】
図１は、本発明に係る画像形成装置の一種であるプリンタの内部構造の一実施形態を説明するための正面断面視の説明図である。この図に示すように、プリンタ（画像形成装置）１は、印刷処理に供する用紙Ｐを貯留する用紙貯留部１２と、この用紙貯留部１２に貯留された用紙束Ｐ１から繰り出された１枚ずつの用紙（被転写材）Ｐに対して画像の転写処理を施す転写部１３と、この転写部１３で転写処理の施された用紙Ｐに対して定着処理を施す定着装置１４とが装置本体１１に内装されると共に、定着装置１４で定着処理の施された用紙Ｐが排紙される排紙部１５が装置本体１１の頂部に設けられることによって構成されている。
【００１５】
前記用紙貯留部１２には、所定数（本実施形態では１つ）の用紙カセット１２１が装置本体１１に対して挿脱自在に設けられている。用紙カセット１２１の上流端（図１の右方）には、用紙束Ｐ１から１枚ずつの用紙Ｐを繰り出させるピックアップローラ１２２が設けられている。このピックアップローラ１２２の駆動によって用紙カセット１２１から繰り出された用紙Ｐは、給紙搬送路１２３およびこの給紙搬送路１２３の下流端に設けられたレジストローラ対１２４を介して転写部１３に給紙されるようになっている。
【００１６】
前記転写部１３は、コンピュータ等から電送された画像情報に基づき用紙Ｐに転写処理を施すものであり、前後方向（図１の紙面と直交する方向）に延びるドラム心回りに回転可能に設けられた感光体ドラム（像担持体）２０の周面に沿うように、当該感光体ドラム２０の直上位置から時計方向に向けて帯電ローラ３０、露光装置４０、現像装置５０、転写ローラ６０およびクリーニング装置７０が配設されることによって形成されている。
【００１７】
前記感光体ドラム２０は、周面に静電潜像およびこの静電潜像に応じたトナー像（可視像）を形成させるためのものであり、周面にアモルファスシリコン層が積層され、これによってこれらの像を形成させるのに適したものになっている。
【００１８】
前記帯電ローラ３０は、ドラム心回り時計方向に回転している感光体ドラム２０の周面に一様な電荷を形成させるものであり、周面が感光体ドラム２０の周面と当接しながら従動回転しつつ当該感光体ドラム２０へ電荷を付与するようになっている。なお、帯電ローラ３０に代えてワイヤからのコロナ放電により感光体ドラム２０の周面に電荷を付与するコロナ放電方式のものを採用してもよい。
【００１９】
前記露光装置４０は、コンピュータ等の外部の機器から電送されてきた画像データに基づき強弱の付与されたレーザ光を回転している感光体ドラム２０の周面に照射し、これによる感光体ドラム２０周面のレーザ光が照査された部分の電荷の消去によって当該感光体ドラム２０の周面に静電潜像を形成させるものである。
【００２０】
前記現像装置５０は、感光体ドラム２０の周面にトナーを供給することによって周面の静電潜像が形成された部分にトナーを付着させ、これによって感光体ドラム２０の周面にトナー像を形成させる。
【００２１】
前記転写ローラ６０は、感光体ドラム２０の直下位置に送り込まれた用紙Ｐに対して当該感光体ドラム２０の周面に形成されているプラスに帯電したトナー像Ｓを用紙Ｐに転写させるものであり、トナー像Ｓの電荷と逆極性であるマイナスの電荷を用紙Ｐに付与するようになっている。
【００２２】
従って、感光体ドラム２０の直下位置に到達した用紙Ｐは、転写ローラ６０と感光体ドラム２０とによって押圧挟持されつつ、プラスに帯電した感光体ドラム２０周面のトナー像Ｓがマイナスに帯電した用紙Ｐの表面に向けて引き剥がされ、これによって用紙Ｐに対し転写処理が施されることになる。
【００２３】
前記クリーニング装置７０は、転写処理後の感光体ドラム２０の周面に残留しているト
ナーを取り除いて清浄化するためのものである。この転写ローラ６０によって清浄化された感光体ドラム２０の周面は、次の画像形成処理のために再び帯電ローラ３０へ向かうことになる。
【００２４】
前記定着装置（定着部）１４は、転写部１３によって転写処理の施された用紙Ｐのトナー像Ｓに加熱による定着処理を施すものであり、内部に通電発熱体が装着された熱ローラ１４１と、この熱ローラ１４１の下部で周面同士が対向配置された圧ローラ１４２とを備えて構成されている。そして、転写処理後の用紙Ｐは、ローラ心回りに時計方向に向けて駆動回転している熱ローラ１４１と、ローラ心回りに反時計方向に向けて従動回転している圧ローラ１４２との間のニップ部を通過することによって、熱ローラ１４１からの熱を得て定着処理が施されるようになっている。定着処理の施された用紙Ｐは、排紙搬送路１４３を通って排紙部１５へ排出されることになる。
【００２５】
前記排紙部１５は、装置本体１１の頂部が凹没されることによって形成され、この凹没した凹部の底部に排紙された用紙Ｐを受ける排紙トレイ１５１が形成されている。
【００２６】
図２は、本発明の実施の形態に係る定着装置の制御システムを示すブロック構成図である。
【００２７】
プリンタ１は、制御システムとしてプリンタ制御部７と電源ユニット２３とを備え、これらプリンタ制御部７及び電源ユニット２３による制御対象として上述した定着装置１４を備えている。
【００２８】
定着装置１４は、熱ローラ１４１及び圧ローラ１４２、サーミスタ２５と、ハロゲンランプ２６とを備えている。
【００２９】
サーミスタ２５は、定着装置１４内の熱ローラ１４１の温度を検出する温度検出部として機能する。すなわち、サーミスタ２５は、特許請求の範囲における温度検出部の一例である。サーミスタ２５は、ハロゲンランプ２６によって加熱された熱ローラ１４１の温度を検出し、その温度検出値をプリンタ制御部７のＣＰＵ７１に出力する。
【００３０】
ハロゲンランプ２６は、熱ローラ１４１を加熱する熱源として機能する。すなわち、ハロゲンランプ２６は、特許請求の範囲における熱源部の一例である。ハロゲンランプ２６は、熱ローラ１４１内等に設けられている。ハロゲンランプ２６は、商用電源８０に対して直列に接続され、当該商用電源８０から供給される電力で駆動されて発熱する。当該商用電源８０からの電力によるハロゲンランプ２６の駆動は、プリンタ制御部７及び電源ユニット２３により制御される。
【００３１】
プリンタ制御部７は、ＣＰＵ７１と、ＲＡＭ７２と、ＲＯＭ７３とを備えている。ＣＰＵ７１、ＲＡＭ７２、及びＲＯＭ７３はデータバスで接続され、互いにデータのやり取りが可能とされている。なお、プリンタ制御部７は、特許請求の範囲における制御部の一例である。
【００３２】
ＣＰＵ７１は、プリンタ１の全体的な動作制御を司る演算装置である。ＣＰＵ７１は、定着装置１４内のサーミスタ２５から定着装置１４内の温度情報を温度検出値として取得し、当該温度検出値に基づいて電源ユニット２３内の熱源制御スイッチ２３４をＯＮ／ＯＦＦ制御する。すなわち、ＣＰＵ７１は、熱源制御スイッチ２３４の切替動作を制御することで、当該ハロゲンランプ２６への電力供給及び遮断を制御し、定着装置１４内の温度を予め定められた温度（例えば、通常画像形成動作時180〜200℃）にする等の制御を行う。
【００３３】
また、ＣＰＵ７１は、定着装置１４内のサーミスタ２５から取得する上記温度検出値に基づいて、電源ユニット２３内の抵抗器用スイッチ２３５をＯＮ／ＯＦＦ制御する。すなわち、ＣＰＵ７１は、抵抗器用スイッチ２３５によるスイッチ切替動作を制御して、商用電源８０からの電力の抵抗器２３１への供給又は非供給を切替制御する。
【００３４】
ＲＯＭ７３には、ＣＰＵ７１によるプリンタ１の全体的な動作制御、及びサーミスタ２５の上記温度検出値に基づいた熱源制御スイッチ２３４及び抵抗器用スイッチ２３５の切替動作制御に必要な動作プログラム等を記憶している。
【００３５】
ＲＡＭ７２は、上記ＲＯＭ７６に記憶された動作プログラムに基づく動作制御時等に、ＣＰＵ７１の作業領域等として用いられる。
【００３６】
電源ユニット２３は、図２に示すように接続された、抵抗器２３１、ヒューズ２３２、AC/DCコンバータ２３３、熱源制御スイッチ２３４、及び抵抗器用スイッチ２３５を備えている。
【００３７】
抵抗器２３１は、図２に示すように商用電源８０とハロゲンランプ２６とを直列に接続する電源ライン１００に、ハロゲンランプ２６に対して並列となるように接続される。
【００３８】
ヒューズ２３２は、商用電源８０とハロゲンランプ２６とを直列に接続する上記電源ライン１００上に、ハロゲンランプ２６に対して直列に接続されている。ヒューズ２３２は、ハロゲンランプ２６と抵抗器２３１とで消費される総電流が、後述する予め定められた電流値を超えたときに溶断し、商用電源からハロゲンランプ２６への電源供給を停止する。
【００３９】
AC/DCコンバータ２３３は、ヒューズ２３２よりも商用電源８０側の位置で上記電源ライン１００から分岐して商用電源８０に対して直列に接続され、商用電源８０から供給される交流電流を直流電流に変換してプリンタ制御部７に供給する。
【００４０】
熱源制御スイッチ（切替部）２３４は、トライアック等で構成され、商用電源８０とハロゲンランプ２６とを繋ぐ電源ライン１００上においてハロゲンランプ２６に対して直列に接続されている。熱源制御スイッチ２３４は、定着装置１４内のハロゲンランプ２６に当該ハロゲンランプ２６駆動用の電力を商用電源８０から供給するか否かを切り替える動作を行うスイッチである。
【００４１】
抵抗器用スイッチ２３５は、トライアック等で構成され、電源ライン１００により商用電源８０に接続されるハロゲンランプ２６に対して並列に接続されている。抵抗器用スイッチ２３５は、抵抗器２３１に対しては直列に接続され、抵抗器２３１に商用電源８０からの電力を供給するか否かを切り替える動作を行うスイッチである。抵抗器用スイッチ２３５は、サーミスタ２５から取得される温度検出値に基づいて、ＣＰＵ７１が定着装置１４内が異常温度であると判断した場合に、ＣＰＵ７１により抵抗器２３１に電源供給を行うように切り替えられる。
【００４２】
また、上記ヒューズ２３２の定格電流値は、ハロゲンランプ２６の定格電流値及び抵抗器２３１の定格電流値のそれぞれの値以上の値であって、ハロゲンランプ２６の定格電流値及び抵抗器２３１の定格電流値の合計値よりも小さい値とされている。
【００４３】
すなわち、ヒューズ２３２の仕様は、(1)ハロゲンランプ２６に流れる電流で溶断しないこと、(2)抵抗器２３１に流れる電流で溶断しないこと、(3)ハロゲンランプ２６と抵抗器２３１に流れる電流の総和で溶断すること、の全ての条件を満たすものとされる。
【００４４】
例えば、ハロゲンランプ２６に定格電流値8[A]の製品を用いる場合、ヒューズ２３２には定格電流値9[A]の製品を用い、抵抗器２３１には、ヒューズ２３２の定格電流値9[A]とハロゲンランプ２６の定格電流値8[A]の差以上の電流を流すことが可能な抵抗値を有するものが採用される。例えば、ヒューズ２３２の定格電流値9[A]＜ハロゲンランプ２６の定格電流値8[A]＋抵抗器２３１の定格電流値2[A]となるように、ヒューズ２３２、ハロゲンランプ２６及び抵抗器２３１のそれぞれの定格電流値が設定される。
【００４５】
次に、サーミスタ２５により定着装置１４の異常温度が検出された場合におけるハロゲンランプ２６の電源供給遮断制御について説明する。図３は、定着装置１４が異常温度である場合におけるハロゲンランプ２６の電源供給遮断制御を示すフローチャートである。なお、ここでは、ヒューズ２３２の定格電流値9[A]、ハロゲンランプ２６の定格電流値8[A]、抵抗器２３１の定格電流値2[A]が採用されている場合を例にして説明する。
【００４６】
プリンタ１の電源スイッチ（図略）がオンとされると（Ｓ１でＹＥＳ）、プリンタ制御部７のＣＰＵ７１は、プリンタ１による画像形成動作が可能な状態にするために、定着装置１４の熱ローラ１４１を加熱させるための制御を行う。この制御において、ＣＰＵ７１は、定着装置１４の温度を定着動作可能な温度（例えば、180〜200℃）にまで引き上げるために、熱源制御スイッチ２３４をオン状態とさせ、抵抗器用スイッチ２３５をオフとさせる（Ｓ２）。すなわち、ＣＰＵ７１は、商用電源８０からハロゲンランプ２６に電力が供給されるように熱源制御スイッチ２３４にスイッチング切替動作を行わせ、その一方、抵抗器２３１には商用電源８０からの電力が供給されないように抵抗器用スイッチ２３５を切り替える。なお、このとき、ヒューズ２３２の定格電流値は、ハロゲンランプ２６の定格電流値以上とされているため、ヒューズ２３２が溶断することはない。
【００４７】
この後、ＣＰＵ７１は、サーミスタ２５から定着装置１４内の温度を示す温度検出値を取得し（Ｓ３）、当該温度検出値が予め定められた異常温度を示しているか否かを判断する（Ｓ４）。この異常温度とは、上記定着動作可能な温度（例えば、180〜200℃）を超える温度であり、画像形成動作及び定着動作には過ぎた高温となって、ハロゲンランプ２６による熱ローラ１４１の加熱を直ちに停止させる必要がある温度である。当該異常温度は、例えば、プリンタ１の出荷前に製造者によりＲＡＭ７２に記憶されているか、ＲＯＭ７３内の動作プログラムにその一部として組み込まれている。
【００４８】
なお、ＣＰＵ７１が、上記温度検出値が予め定められた異常温度を示さない正常温度（例えば、180〜200℃以下の温度）と判断している場合は（Ｓ４でＮＯ）、ＣＰＵ７１は、基本制御状態として、熱源制御スイッチ２３４をオン状態とし、抵抗器用スイッチ２３５をオフとした状態しつつ、定着装置１４の温度を上記定着動作可能な温度に保つための熱源制御スイッチ２３４のオン及びオフ切替制御を行う。ＣＰＵ７１は、サーミスタ２５から引き続き上記温度検出値を取得する（Ｓ３）。
【００４９】
ＣＰＵ７１が、上記温度検出値が予め定められた異常温度を示すと判断した場合は（Ｓ４でＹＥＳ）、ＣＰＵ７１は、熱源制御スイッチ２３４をオフとして商用電源８０からの電力がハロゲンランプ２６に供給されないように切り替え、抵抗器用スイッチ２３５をオンとして抵抗器２３１に商用電源８０からの電力が供給されるように切り替える（Ｓ５）。
【００５０】
このとき、例えば、熱源制御スイッチ２３４の故障等により、熱源制御スイッチ２３４が商用電源８０からの電力供給を遮断できず、ハロゲンランプ２６に商用電源８０からの電流が流れる状態となっている場合（すなわち、熱源制御スイッチ２３４の故障等によりハロゲンランプ２６による熱ローラ１４１の加熱を停止できない状態等）には、ヒューズ２３２に、ハロゲンランプ２６に流れる電流8[A]と抵抗器２３１に流れる電流2[A]の総和である10[A]が流れ、ヒューズ２３２の定格電流値9[A]を超えることとなり、その結果、ヒューズ２３２が溶断してハロゲンランプ２６への電源遮断が行われる。
【００５１】
一方、熱源制御スイッチ２３４が正常に切替動作を行って、ハロゲンランプ２６に商用電源８０からの電流が流れていない場合（すなわち、熱源制御スイッチ２３４のスイッチング切替によりハロゲンランプ２６による熱ローラ１４１の加熱を正常に停止できている状態）は、ヒューズ２３２には、抵抗器２３１に流れる電流2［A］のみが流れるため、ヒューズ２３２が溶断することはない。すなわち、熱源制御スイッチ２３４が正常に切替動作を行っているにも関わらず、サーミスタ２５の故障等により、当該サーミスタ２５から得られる温度検出値が異常温度を示す場合には、ヒューズ２３２は溶断しない。
【００５２】
このため、プリンタ１では、熱源としてのハロゲンランプ２６の発熱を起因とする温度異常時にのみヒューズ２３２が溶断されるので、不必要なヒューズ２３２の溶断によるヒューズ２３２又は電源ユニット２３の取り替えのためにコスト上昇及び取換手間が発生することを回避できる。
【００５３】
なお、本発明は上記実施の形態の構成に限られず種々の変形が可能である。例えば、上記ハロゲンランプ２６は、熱源部の一例に過ぎず、熱源部としてハロゲンランプ２６以外の機構が用いられてもよい。また、サーミスタ２５は、温度検出部の一例に過ぎず、温度検出部としてサーミスタ２５以外の機構が用いられてもよい。
【００５４】
また、上記図１乃至図３に示した実施形態に係る構成及び処理は、本発明に係る画像形成装置の構成及び処理の単なる一例に過ぎず、本発明に係る画像形成装置の構成及び処理を上記に示した内容に限定するものではない。
【符号の説明】
【００５５】
１        プリンタ
７        プリンタ制御部
１４      定着装置
１４１    熱ローラ
１４２    圧ローラ
２５      サーミスタ
２６      ハロゲンランプ
２３      電源ユニット
２３１    抵抗器
２３２    ヒューズ
２３４    熱源制御スイッチ
２３５    抵抗器用スイッチ
８０      商用電源
１００    電源ライン
【図１】
2011203631.tif 000003
【図２】
2011203631.tif 000004
【図３】
2011203631.tif 000005